(57)【特許請求の範囲】
【請求項１】
異なる臓器からそれぞれ個別に調製した細胞集団から、アシアロＧＭ１をそれぞれ発現するナチュラルキラー細胞（NK細胞）、ナチュラルキラーT細胞（NKT細胞）およびT細胞を分別して検出する方法であって、少なくとも以下の工程：
＜１＞細胞集団に抗アシアロＧＭ１ポリクローナル抗体を接触させる工程；
＜２＞前記抗アシアロＧＭ１ポリクローナル抗体に、二次抗体として、抗アシアロＧＭ１ポリクローナル抗体を認識し結合する標識抗体を接触させる工程；
＜３＞前記標識抗体を検出する検出物質を添加する工程；
＜４＞前記細胞を固定する工程；および
＜５＞抗アシアロＧＭ１ポリクローナル抗体が結合した細胞をフローサイトメーターまたは免疫組織染色で解析し、アシアロGM1発現パターンの違いによって、各臓器のNK細胞、NKT細胞およびT細胞を分別して検出する工程；
を含むことを特徴とする細胞検出方法。
【請求項２】
標識抗体は、蛍光物質標識抗体、生体性結合成分標識抗体および酵素標識抗体の少なくともいずれかである請求項１の細胞検出方法。
【請求項３】
異なる臓器からそれぞれ別個に調製した細胞集団から、アシアロＧＭ１をそれぞれ発現するナチュラルキラー細胞（NK細胞）、ナチュラルキラーT細胞（NKT細胞）およびT細胞を分別して検出する方法であって、少なくとも以下の工程：
＜１＞細胞集団に、そのFc部位に標識修飾を施された標識修飾抗アシアロＧＭ１ポリクローナル抗体を接触させる工程；
＜２＞前記標識修飾抗アシアロＧＭ１ポリクローナル抗体を検出する、検出物質を添加する工程；
＜３＞前記細胞を固定する工程；および
＜４＞抗アシアロＧＭ１ポリクローナル抗体が結合した細胞をフローサイトメーターまたは免疫組織染色で解析し、アシアロGM1発現パターンの違いによって、各臓器のNK細胞、NKT細胞およびT細胞を分別して検出する工程；
を含むことを特徴とする細胞検出方法。
【請求項４】
標識修飾は、蛍光物質、生体性結合成分および酵素の少なくともいずれかによるものである請求項３の細胞検出方法。
【請求項５】
請求項１から４いずれかの細胞検出方法によって検出された、アシアロＧＭ１発現細胞の発現パターンの違いに基づいて、このアシアロGM1発現細胞がいずれの臓器に由来するNK細胞、NKT細胞またはT細胞であるかを分類することを特徴とする細胞分類方法。
【請求項６】
請求項１から４のいずれかの細胞検出方法によって検出されたNK細胞、NKT細胞およびT細胞の少なくとも一つの細胞のアシアロＧＭ１の発現量が、若年個体の当該細胞のアシアロGM1発現量より増加している場合に、その細胞が由来する個体が加齢個体であると判定することを特徴とする老化判定方法。
【発明の詳細な説明】
【技術分野】
【０００１】
本願発明は、アシアロＧＭ１発現細胞検出試薬に関するものであり、これを用いた細胞検出方法および細胞分類方法並びに老化測定方法に関するものである。
【背景技術】
【０００２】
アシアロＧＭ１（アシアロガングリオシド）は、ガングリオシド（シアル酸を構成糖とするスフィンゴ糖脂質の総称）よりシアル酸残基がはずれたもので、糖脂質の一種である。
このアシアロＧＭ１は、ガン疾患をはじめ、自己免疫疾患や神経疾患等に関与している、具体的にはこれら疾患と関わっている細胞に発現していることが解明されつつある。そして、各種疾患の検査にアシアロＧＭ１をマーカーとして利用することが考慮されている。たとえば、アシアロＧＭ１を検出して定量測定することで、ガン診断に利用する方法が提案されていたり（特許文献１参照）、また、腸管障害の検査に利用する検査方法も提案されている（特許文献２参照）。
【０００３】
この特許文献１記載の測定方法は、抗アシアロＧＭ１抗体を用いた免疫測定であり、細胞のガン化に伴って増加するアシアロＧＭ１を検出・定量することで、ガン診断に活用している。また、特許文献２記載の検査方法においては、マウスの糞便中のアシアロＧＭ１とフコシルアシアロＧＭ１の含量を、抗アシアロＧＭ１抗体と抗フコシルアシアロＧＭ１抗体を利用した薄層クロマトグラフィ免疫染色法で測定することで、腸管障害を検査している。
【０００４】
ところで、疾患の進行度（病態）を診断するために、たとえば、腫瘍疾患（ガン疾患）におけるパパニコロ染色による分類のように、細胞の分化の度合いや形状変化の度合い等を基に、疾患に関与する細胞を分類することが知られている。
【特許文献１】特開平3-115863号公報
【特許文献２】特開平6-265542号公報
【発明の開示】
【発明が解決しようとする課題】
【０００５】
しかしながら、上記特許文献１および２記載の方法は、いずれもアシアロＧＭ１を発現する細胞を検出することを目的としておらず、単に、アシアロＧＭ１の含量を測定して、その含量に基づいてガンもしくは腸管障害を診断しているだけである。すなわち、各種の疾患に関与する細胞（たとえば、NK細胞やNKT細胞等）に発現しているといわれているアシアロＧＭ１を検出する方法は開発されていないのが実状であり、疾患についての新たな知見を得ることはできないという問題があった。
【０００６】
また、上記特許文献１、２記載のような方法は、腫瘍疾患（ガン疾患）もしくは腸管障害のみを対象にした診断・検査であり、その他の疾患、特に自己免疫疾患や神経疾患を迅速、かつ、簡単に診断する方法についても、依然として、開発されていないのが実状であった。さらに、これら特許文献１および２記載の方法では、ともにモノクローナル抗体を利用しており、抗原表面にある多種の抗原認識部位と結合して強力に抗原を特定することが期待することができるポリクローナル抗体を用いた診断・検査方法ではない。
【０００７】
さらに、従来のパパニコロ染色による分類のような細胞分類方法では、より多種類の疾患を対象にして細胞分類することができず、疾患の進行度（病態）を判断することはできないという問題があった。
【０００８】
そこで、本願発明は、以上のとおりの背景から、従来の問題点を解決すべく、ポリクローナル抗体を用いた、簡単にアシアロＧＭ１を発現する細胞を検出できるアシアロＧＭ１発現細胞検出試薬を提供することを課題とし、また、このアシアロＧＭ１発現細胞検出試薬を用いることで、効率よくアシアロＧＭ１発現細胞を検出し、特定することができ、各種の疾患、たとえば、自己免疫疾患、神経疾患、感染疾患、腫瘍疾患等の診断もできる新しい検出方法、この検出結果を基に、効率よく細胞を分類することで、アシアロＧＭ１が関与する細胞を分類することができ、その細胞が関与する多種類の疾患の進行度（病態）を判断することができる、新しい細胞分類方法を提供することも課題としている。
【課題を解決するための手段】
【０００９】
本願発明は、前記の課題を解決するものとして、第１には、細胞が発現しているアシアロＧＭ１を特異的に認識し結合する抗アシアロＧＭ１ポリクローナル抗体を有効成分として含有してなることを特徴とする。
【００１０】
また、本願発明は、第２には、上記第１の発明を用いた細胞検出方法であって、少なくとも以下の工程：
＜１＞検体に含まれる検出対象の細胞に抗アシアロＧＭ１ポリクローナル抗体を接触させる工程；
＜２＞前記抗アシアロＧＭ１ポリクローナル抗体に、二次抗体として、抗アシアロＧＭ１ポリクローナル抗体を認識し結合する標識抗体を接触させる工程；
＜３＞前記標識抗体を検出する検出物質を添加する工程；
＜４＞前記細胞を固定する工程；および
＜５＞抗アシアロＧＭ１ポリクローナル抗体の結合の有無を基に、前記細胞におけるアシアロＧＭ１の発現の有無をフローサイトメーターまたは免疫組織染色で検出する工程；
を含むことを特徴とし、第３には、検出対象の細胞は、疾患由来の細胞であり、第４には、疾患は、自己免疫疾患、神経疾患、感染疾患および腫瘍疾患の少なくともいずれかであることを特徴とし、第５には、標識抗体は、蛍光物質標識抗体、生体性結合成分標識抗体および酵素標識抗体の少なくともいずれかであることを特徴とする。
【００１１】
さらに、本願発明は、第６には、上記第１の発明を用いた細胞検出方法であって、抗アシアロＧＭ１ポリクローナル抗体は、Ｆｃ部位で標識修飾を施されており、少なくとも以下の工程：
＜１＞検体に含まれる検出対象の細胞に標識修飾抗アシアロＧＭ１ポリクローナル抗体を接触させる工程；
＜２＞前記標識修飾抗アシアロＧＭ１ポリクローナル抗体を検出する、検出物質を添加する工程；
＜３＞前記細胞を固定する工程；および
＜４＞前記細胞におけるアシアロＧＭ１の発現の有無を、フローサイトメーターまたは免疫組織染色で検出する工程；
を含むことを特徴とし、第５には、標識修飾は、蛍光物質、生体性結合成分および酵素の少なくともいずれかによるものであることを特徴とする。
【００１２】
第７には、検出対象の細胞は、疾患由来の細胞であり、第８には、疾患は、自己免疫疾患、神経疾患、感染疾患および腫瘍疾患の少なくともいずれかであることを特徴とし、第９には、標識修飾は、蛍光物質、生体性結合成分および酵素の少なくともいずれかによるものであることを特徴とする。
【００１３】
さらにまた、本願発明は、第１０には、前記第２から第９いずれかの発明によって検出された、アシアロＧＭ１発現細胞の分化の度合い、活性の度合い、形状変化の度合いの少なくともいずれかを判定し、この判定結果を基に細胞を分類することを特徴とする。
【００１４】
そして、本願発明は、第１１には、前記第２から第９いずれかの発明によって検出された、アシアロＧＭ１発現細胞を基にアシアロＧＭ１の発現の増減を測定し、この測定結果を基に老化度合いを測定することを特徴とする。
【発明の効果】
【００１５】
本願第１の発明によれば、簡単にアシアロＧＭ１を発現する細胞を検出することができる。
【００１６】
また、第２から第９の発明によれば、効率よくアシアロＧＭ１発現細胞を検出し、特定することができ、また、各種疾患をも診断することができる。
【００１７】
さらに、第１０の発明によれば、効率よく細胞を分類することで、アシアロＧＭ１が関与する細胞を分類することができ、その細胞が関与する多種類の疾患の進行度（病態）を判断することができる。
【００１８】
そして、第１１の発明によれば、効率よく細胞の老化度合いを測定することで、細胞が構成する器官や組織、ひいては生体個体の老化の度合いをも測定、判断することができる。
【発明を実施するための最良の形態】
【００１９】
本願発明は、上記のとおりの特徴をもつものであるが、以下にその実施の形態について詳しく説明する。
【００２０】
本願発明は、各種の疾患、たとえば、自己免疫疾患や神経疾患、感染疾患、腫瘍疾患等に関わる細胞（具体的には、たとえば、免疫担当細胞であるナチュラルキラー細胞（ＮＫ細胞）や、一部のナチュラルキラーＴ細胞（ＮＫＴ細胞）並びにある種のＴ細胞等）に発現するアシアロＧＭ１（アシアロガングリオシド）を、特異的に認識し、結合する抗アシアロＧＭ１ポリクローナル抗体を有効成分として含有してなる、アシアロＧＭ１発現細胞検出試薬である。
【００２１】
そして、本願発明は、このアシアロＧＭ１発現細胞検出試薬を用いて、アシアロＧＭ１を発現する細胞を検出することができる。具体的には、少なくとも以下の工程：
＜１＞たとえば、ヒトやサル、マウス、ラット、ヒツジ、ウマ等の生体から公知の方法で、たとえば、血液や尿、組織等を採取し、必要に応じて前処理を行って希釈調整した検体に含まれる検出対象の細胞に、抗アシアロＧＭ１ポリクローナル抗体を接触させる工程；
＜２＞前記抗アシアロＧＭ１ポリクローナル抗体に、二次抗体として、抗アシアロＧＭ１ポリクローナル抗体を認識し結合する標識抗体を接触させる工程；
＜３＞前記標識抗体を検出する検出物質を添加する工程；
＜４＞前記細胞を、パラホルムアルデヒド等を含有する固定液で、固定する工程；および
＜５＞抗アシアロＧＭ１ポリクローナル抗体の結合の有無を基に、前記細胞におけるアシアロＧＭ１の発現の有無をフローサイトメーターまたは免疫組織染色で検出する工程；
を実施することで、効率よくアシアロＧＭ１発現細胞を検出し、特定することができる。
【００２２】
このとき、検出対象の細胞は、疾患由来の細胞とすることで、上記のとおり、各種の疾患を診断することができる。特に、関節リウマチ等の自己免疫疾患や、神経痛やギランバレー症候群等の神経疾患、ウイルスや細菌による感染疾患、ガン等の腫瘍疾患の診断を効率よく行うことができる。なお、診断対象可能な疾患は、アシアロＧＭ１発現細胞が関与するものであれば特に制限されない。
【００２３】
また、標識抗体は、各種のものが使用できるが、蛍光物質標識抗体、生体性結合成分標識抗体および酵素標識抗体等が使用できる。具体的には、たとえば、フルオレセインイソチオシアネート（ＦＩＴＣ）標識抗体、フィコエリスリン（ＰＥ）標識抗体、ビオチン標識抗体およびペルオキシダーゼ標識抗体が、その扱い易さや検出感度等の観点から好ましく、そして、この標識抗体の種類によって、検出物質を適宜に使用する。検出物質としては、たとえば、ビオチン標識抗体の場合はストレプトアビジンを、ペルオキシダーゼ標識抗体の場合は基質としてｏ-フェニレンジアミン等を使用する。また、もちろん、上記標識抗体は、緑色蛍光タンパク質や赤色蛍光タンパク質等の蛍光タンパク質、放射線物質、また、サマリウム、ユウロピウム、テルビウム等のランタノイド等によって標識された抗体も使用することができ、特に限定されるものではない。
【００２４】
本願発明の検出方法においては、別の実施形態として、Ｆｃ部位で標識修飾を施された抗アシアロＧＭ１ポリクローナル抗体を用いて、検出することもできる。その際の工程としては、基本的には上記検出方法と同様であるが、「二次抗体」を使用する必要がない点で相違する。具体的に説明すると、少なくとも以下の工程：
＜１＞ヒトやサル、マウス、ラット、ヒツジ、ウマ等の生体から採取した検体に含まれる検出対象の細胞に、標識修飾抗アシアロＧＭ１ポリクローナル抗体を接触させる工程；
＜２＞前記標識修飾抗アシアロＧＭ１ポリクローナル抗体を検出する、検出物質を添加する工程；
＜３＞前記細胞を固定する工程；および
＜４＞前記細胞におけるアシアロＧＭ１の発現の有無を、フローサイトメーターまたは免疫組織染色で検出する工程；
の工程で、アシアロＧＭ１発現細胞を検出することができる。
【００２５】
そして、このときの検出対象の細胞は、上記検出方法と同様に、疾患由来の細胞とすることで、各種の疾患を診断することができる。特に、関節リウマチ等の自己免疫疾患や、神経痛やギランバレー症候群等の神経疾患、ウイルスや細菌による感染疾患、ガン等の腫瘍疾患の診断を効率よく行うことができる。
【００２６】
また、標識修飾についても、上記標識抗体の場合と同様に、蛍光物質標識抗体、生体性結合成分標識抗体および酵素等が使用でき、具体的には、たとえば、フルオレセインイソチオシアネート、フィコエリスリン、ビオチンおよびペルオキシダーゼ等が、扱い易さや検出感度等の観点から好ましく、効率よく、標識修飾抗アシアロＧＭ１ポリクローナル抗体を検出することができる。もちろん、緑色蛍光タンパク質や赤色蛍光タンパク質等の蛍光タンパク質、放射性物質、また、サマリウム、ユウロピウム、テルビウム等のランタノイド等によっても標識修飾することができ、特に限定されるものではない。また、これら標識修飾によって、検出物質を適宜に使用する。たとえば、ビオチンによる標識修飾の場合はストレプトアビジンを、ペルオキシダーゼによる標識修飾の場合は基質としてｏ-フェニレンジアミンを使用することで基質を発色させ、検出することができる。
【００２７】
本願発明の検出方法における「フローサイトメーター」について説明すると、フローサイトメーターは、個々の細胞の相対的なサイズ、形状、また、内部構造の違い、さらには、蛍光標識等を行うことで蛍光強度や蛍光の種類を測定して細胞の同定や細胞群を構成する種々の細胞の存在比を短時間で解析することができることを特徴としている。本願発明の検出方法は、このような特徴を利用し、かつ、アシアロＧＭ１発現細胞検出試薬を用いることで、アシアロＧＭ１発現細胞を効率よく検出するものである。
【００２８】
また、本願発明の検出方法では、「免疫組織染色」を利用することでも、アシアロＧＭ１発現細胞を効率よく検出することができる。この「免疫組織染色」について説明すると、免疫組織染色は、一般に、抗原−抗体反応という特異的な結合反応を利用して、目的とする蛋白質の細胞内外および組織内の局在を検出する手法である。その方法としては、大きく分けて「直接法」と「間接法」の２つがあり、直接法は、抗原に対する特異的抗体である一次抗体に酵素や蛍光物質を直接結合させて検出する方法であり、間接法は、一次抗体に対する抗体である二次抗体を用いて可視化する方法である。本願発明は、この直接法、間接法そのどちらでも活用することができる。そして、免疫組織染色では、通常、臓器等の生体試料から病理切片を作成してこの切片を試料とすることから、本願発明の検出方法において、免疫組織染色を利用することで、アシアロＧＭ１の組織内分布の検索も可能となる。
【００２９】
なお、上記検出方法において、各工程において、抗体の非特異的な結合の防止や、未結合の余剰分な抗体等の洗浄のために、必要に応じて、洗浄液としてリン酸緩衝液やトリス緩衝液等を用いて洗浄操作を行ってもよい。また、このような洗浄液に、Ｔｗｅｅｎ-２０（登録商標）やＴｒｉｔｏｎ-Ｘ（登録商標）、硫酸ドデシルナトリウム（ＳＤＳ）等の界面活性剤、また、ブロッキング剤としてスキムミルクやウシ血清アルブミン（ＢＳＡ）等をさらに含有させてもよい。
【００３０】
そして、上記検出方法において、基質の発色による検出の場合には、たとえば、吸光度測定器、分光光度計や蛍光測定器、マルチラベルカウンター等で検出することもできる。また、ペルオキシダーゼ等による発色系の場合には、必要に応じて、発色停止剤を添加し、基質の発色反応を停止してもよい。この発色停止剤は、標識物質と基質の発色反応系に合わせて適宜に選択する。たとえば、標識物質がペルオキシターゼで、基質がｏ-フェニレンジアミンである発色反応系の場合には、塩酸を利用して発色を停止させることができる。
【００３１】
本願発明における抗アシアロＧＭ１ポリクローナル抗体は、たとえば、精製アシアロＧＭ１で抗原感作させたラットやマウス、ウサギ、ヒツジ、ヤギ等の動物から採血し、血清を分離採取したものを硫酸アンモニウムにて塩析後、リン酸緩衝液（ＰＢＳ）に透析して、抗原アフィニティーカラム等でγグロブリン分画を取得したりする。このようにして、抗アシアロＧＭ１ポリクローナル抗体を作成することで、抗原認識部位の異なるＩｇＧ分子が多数含まれ、多種の抗原認識部位と結合して強力に抗原を特定することができる。
【００３２】
一般に、ポリクローナル抗体と比べ、モノクローナル抗体には以下の問題がある。すなわち、（１）モノクローナル抗体は、結合性の弱い抗体しか得ることができない場合があり、検出感度が低下する可能性があった。また、（２）モノクローナル抗体には交差反応を示すものもあるため、この場合は、結合性の強い抗体であっても正確性を欠くことが予想できる。さらに、（３）モノクローナル抗体作製には多くの時間とコストを要すること、および、免疫原となるアシアロＧＭ１は、正常マウスにとって自己成分であることから、通常の方法による抗アシアロＧＭ１モノクローナル抗体の大量生産は困難であった。このような問題を解消するため、本願発明における抗アシアロＧＭ１抗体はポリクローナル抗体を使用している。
【００３３】
本願発明は、さらに、上記にて説明した細胞検出方法によって検出された、アシアロＧＭ１発現細胞を、その分化の度合い、活性の度合い、形状変化の度合いの少なくともいずれかを判定することで、細胞を分類することもできる。たとえば、アシアロＧＭ１発現細胞としては、免疫担当細胞であるナチュラルキラー細胞（ＮＫ細胞）やナチュラルキラーＴ細胞（ＮＫＴ細胞）等が挙げることができるが、このＮＫ細胞とＮＫＴ細胞を検出して、分化の度合い、活性の度合い、形状変化の度合いを基に、両者を効率よく分類することができる。そして、アシアロＧＭ１が関与する種々の細胞を分類することができ、その細胞が関与する多種類の疾患の進行度（病態）をも判断することができる。
【００３４】
そして、本願発明は、上記にて説明した細胞検出方法によって検出されたアシアロＧＭ１発現細胞を基にして、アシアロＧＭ１の発現の増減を測定し、この測定結果を基に細胞の老化度合いを測定することをも可能としている。このような特徴を有する、細胞老化度合い測定方法によって、効率よく細胞の老化度合いを測定することで、細胞が構成する器官や組織、ひいては生体個体の老化の度合いをも測定、判断することができる。
【００３５】
以下に実施例を例示し、さらに詳しく本願発明について説明する。もちろん、以下の例によって発明が限定されることはない。
【実施例】
【００３６】
実施例１：フローサイトメーターを利用した、アシアロＧＭ１の検出
（１）  ８週齢のメスのＣ５７８Ｌ／６マウス、または、同週齢、同性、同系の胸腺摘出マウス（あるいは無胸腺マウス：ヌードマウス）の肝臓、脾臓、腸管、リンパ節、骨髄、胸腺を採取した。
（２）  これら各臓器から細胞分離用メッシュおよびパーコール等を用いて白血球系細胞を分難した。各細胞は１０％ウシ胎児血清含有のＲＰＭＩ １６４０培地（１００μｇ／ｍＬストレプトマイシン、１００ Ｕ／ｍＬペニシリン、５×１０-８ Ｍの２-メルカプトエタノール含有）に、１×１０６個／ｍＬの濃度になるように調製し、これを染色に供した。
（３）  ９６穴Ｖ底プレート（Ｎｕｎｋ社製）に調製した、各細胞を１〜２×１０５個／ｗｅｌｌずつ分注し、遠心処理を行ない、細胞を回収した。上清除去後、ブロッキング試薬を、５０μＬ／ｗｅｌｌ加え、ピペッティングして細胞を浮遊させた。
（４）  次に、４℃で１５分間インキュベーションし、ブロッキング反応を完了させた。遠心処理をして、上清を除去した後、ナチュラルキラー細胞（ＮＫ細胞）、ナチュラルキラーＴ細胞（ＮＫＴ細胞）等のアシアロＧＭ１陽性細胞（アシアロＧＭ１発現細胞）を検出するため、ウサギ由来の抗アシアロＧＭ１ポリクローナル抗体（和光純薬社製）を有効成分とし、ＰＥ（ｐｈｙｃｏｅｒｙｔｈｒｉｎ；フィコエリスリン）標識抗ＣＤ３ε抗体（ＢＤ ＰｈａｒＭｉｎｇｅｎ社製）、および、ビオチン標識抗ＮＫ１．１抗体（ＢＤ ＰｈａｒＭｉｎｇｅｎ社製）を含む混合溶液を、５０μＬ／ｗｅｌｌずつ添加し、ピペッティングして細胞を浮遊させた後、４℃で１５分間インキュベーションを行った。
（５）  そして、0.1％窒化ナトリウムおよび０．１％ウシ血清アルブミン含有リン酸緩衝生理的食塩液（以下、染色バッファーとする）を１００μＬ／ｗｅｌｌ加えて遠心し、上清を除去した。
【００３７】
過剰な未反応の上記標識抗体を除去洗浄するため、染色バッファー１５０μＬ／ｗｅｌｌを添加し、ピペッティングして細胞を浮遊させ、遠心および上清除去を行った。
（６）  洗浄操作後、抗アシアロＧＭ１ポリクローナル抗体を検出するために、ＦＩＴＣ標識抗ウサギＩｇＧ抗体を５０μＬ／ｗｅｌｌずつ添加した。ピペッティングして細胞を浮遊後、４℃で１５分間インキュベーションを行った。染色バッファーを１００μＬ／ｗｅｌｌ加えて遠心し、上清を除去した。過剰な未反応の標識抗体を除くため、染色バッファー１５０μＬ／ｗｅｌｌを添加し、ピペッティングして細胞を浄遊させた後、遠心および上清除去の操作を行った。
（７）  ビオチン標識抗体を検出するために、ストレプトアビジン結合Ｃｙｃｈｒｏｍｅ（ＳＡ−Ｃｙｃｈｒｏｍｅ;ＢＤ ＰｈａｒＭｉｎｇｅｎ社製）を５０μＬ／ｗｅｌｌ添加し、ピペッティングして細胞を浄遊させた後、４℃で１５分間インキュベーションし、ビオチン−ストレプトアビジン複合体形成反応を行った。インキュベーション後、染色バッファー１００μＬ／ｗｅｌｌを加えて遠心し、上清を徐去した。過剰な未反応のＳＡ−Ｃｙｃｈｒｏｍｅを洗浄除去するため、染色バッファー１５０μＬ／ｗｅｌｌを添加し、ピペッティングして細胞を浮遊させ、遠心および上清除去の操作を行った。
（７）  そして、細胞を固定するために１％パラホルムアルデヒド含有のリン酸緩衝液を２００μＬ／Ｗｅｌｌ加えてピペッティングし、浮遊させた細胞を回収して、これをフローサイトメーター（ＢＤ Ｂｉｏｓｃｉｅｎｃｅｓ社製）にて細胞表面上のアシアロＧＭ１、ＣＤ３、および、ＮＫ１．１の検出を行った。
（８）  その結果、図１（Ａ）（Ｂ）（Ｃ）および図２（Ａ）（Ｂ）に示したとおり：
＜１＞ＮＫ細胞、ＮＫＴ細胞、Ｔ細胞上のアシアロＧＭ１の発現は臓器の由来により大きく異なること、
＜２＞ＮＫ細胞上のアシアロＧＭ１の発現は胸腺により大きく影響を受けること、
＜３＞アシアロＧＭ１の発現と、ＮＫ１．１の発現には正の相関牲が認められること、および
＜４＞これまでアシアロＧＭ１はＮＫ細胞にのみ発現されていると考えられていたが、一部のＮＫＴ細胞並びにある種のＴ細胞上にもアシアロＧＭ１が発現していること、
が確認することができたことから、本願発明によってアシアロＧＭ１発現細胞の検出することができた。
【００３８】
なお、図１、２中の「ｌｉｖｅｒ」は肝臓を、「ＢＭ」は骨髄を、「ｓｐｌｅｅｎ」は脾臓を示した。また、図２中の「Ｃ５７ＢＬ／６」は胸腺を有する正常マウス、「ｎｕ／ｎｕ」は無胸腺であるヌードマウスを示した。
【００３９】
この結果から、本願発明のアシアロＧＭ１発現細胞検出試薬を用いることによって、簡単にアシアロＧＭ１を発現する細胞を検出することができた。また、細胞のアシアロＧＭ１の発現は臓器の由来により大きく異なることを考慮すると、アシアロＧＭ１発現細胞の分化の度合い、活性の度合い、形状変化の度合いを測定することで、効率よくアシアロＧＭ１が関与する細胞を分類することができ、その細胞が関与する多種類の疾患の進行度（病態）を判断することができる。
実施例２：マウスの加齢とアシアロＧＭ１の発現の変化の検討
（１）  実施例１と同様の手順、試薬、実験条件で、マウスの加齢とアシアロＧＭ１の発現の変化について、８週齢のアダルトマウス、７月齢および９月齢の老齢マウスを用いて行った。なお、胸腺は、通常、加齢とともに萎縮することから、老齢の生体個体（本実施例ではマウス）では、胸腺は殆ど消失し、胸腺のない状態となっている。
（２）  図３（Ａ）（Ｂ）に示したとおり、結果は：
＜１＞マウスの加齢に伴い、ある種のＴ細胞のアシアロＧＭ１の発現が増加すること、
＜２＞また、ＮＫ細胞上のアシアロＧＭ１の発現は、加齢とともに増加すること、および
＜３＞加齢に伴い増加するアシアロＧＭ１の発現は、胸線により大きく影響を受けることから、胸腺のない状態ではアシアロＧＭ１の発現が増強すること、
を確認することができた。すなわち、生体個体の老齢化に伴い胸腺が萎縮した場合には、アシアロＧＭ１の発現が増強されることを確認することができた。
【００４０】
図３中の「ＣＤ３−ＮＫ１＋」はナチュラルキラー細胞、「ＣＤ３＋ＮＫ１＋」はナチュラルキラーＴ細胞、「ＣＤ３＋ＮＫ１−」はＴ細胞を示している。また、老齢正常マウス（Ｃ５７ＢＬ／６：７月齢、９月齢）および老齢ヌードマウス（ｎｕ／ｎｕ）におけるコントロールマウスは、８週齢の正常マウス（Ｃ５７ＢＬ／６）を用いた。
【００４１】
この結果から、本願発明による抗アシアロＧＭ１抗体を有効成分とするアシアロＧＭ１発現細胞検出試薬は、従来のように生体内におけるＮＫ細胞の除去だけでなく、細胞分類法、疾患の診断等に応用することができる。
【００４２】
さらに、この結果は、アシアロＧＭ１が生体の老化のバロメーターになり得ることを示しており、本願発明のアシアロＧＭ１発現細胞検出試薬を用いることで、簡単に、かつ、効率よく、細胞が構成する器官や組織、ひいては生体個体の老化の度合いを測定することをも可能なことを示している。
【図面の簡単な説明】
【００４３】
【図１】正常マウス（Ｃ５７ＢＬ／６：８週齢）の各臓器（Ｌｉｖｅｒ：肝臓、ＢＭ：骨髄、Ｓｐｌｅｅｎ：脾臓）に存在する各種の細胞上のアシアロＧＭ１の発現頻度を示した図であり、（Ａ）はナチュラルキラー（ＣＤ３−ＮＫ１＋）細胞上、（Ｂ）はナチュラルキラーＴ（ＣＤ３＋ＮＫ１＋）細胞上、（Ｃ）はＴ（ＣＤ３＋ＮＫ１−）細胞上を示している。
【図２】胸腺を有する正常マウス（Ｃ５７ＢＬ／６：８週齢）と、胸腺を有さないヌードマウス（ｎｕ／ｎｕ Ｎｏ．１、 Ｎｏ．２：８週齢）の各臓器に存在するナチュラルキラー（ＣＤ３−ＮＫ１＋）細胞上のアシアロＧＭ１の発現頻度を示した図であり、（Ａ）はＬｉｖｅｒ：肝臓、（Ｂ）はＢＭ：骨髄と、Ｓｐｌｅｅｎ：脾臓を示している。
【図３】胸腺を有する老齢正常マウス（Ｃ５７ＢＬ／６：７月齢、９月齢）と、胸腺を有さない老齢ヌードマウス（ｎｕ／ｎｕ Ｎｏ．１、 Ｎｏ．２、Ｎｏ．３）の肝臓に存在する各種の細胞（ナチュラルキラー（ＣＤ３−ＮＫ１＋）細胞、ナチュラルキラーＴ（ＣＤ３＋ＮＫ１＋）細胞、Ｔ（ＣＤ３＋ＮＫ１−）細胞）上のアシアロＧＭ１の発現頻度を示した図であり、（Ａ）は老齢正常マウス、（Ｂ）は老齢ヌードマウスを示している。なお、8週齢のマウスは、老齢正常マウスと老齢ヌードマウスそれぞれのコントロールである。
【図１】
0004411438.tif 000002
【図２】
0004411438.tif 000003
【図３】
0004411438.tif 000004